(57)【要約】【課題】箱本体や緩衝材を回収して再利用する。【解決手段】蓋１０と、側壁１２〜１５と、蓋１０と対応する形状の底部１８と、箱状空間の上部開口を形成し、当該開口部を塞ぐ蓋１０と連結手段２１、２２により連結されるフレーム１１とを備える。少なくとも一対の対向する側壁１４、１５は、フレーム１１と平行な折れ線１６、１７を有し、上縁をフレーム１１に連結し、下縁を底部１８に連結する。側壁１４、１５が折れ線１６、１７に沿って折り畳まれたとき、蓋１０とフレーム１１と底部１８とが近接して連結手段２１、２２により連結され、折り畳まれた側壁により上下に仕切られた収納空間が形成される。全ての側壁が底部に対して垂直に伸張されたとき、箱状空間を取り囲み側壁の内面に接する位置に配置され、側壁の折れ線に対して垂直に交わる複数の折れ線４１、４２を有し、折れ線に沿って折り畳まれたとき、収納空間に収納されるスリーブ４０を備えた。【選択図】図１
2007204116.tif 000002
【特許請求の範囲】
【請求項１】
蓋と、側壁と、前記蓋と対応する形状の底部と、前記蓋と前記側壁と前記底部により形
成される箱状空間の上部開口を形成し、当該開口部を塞ぐ前記蓋と連結手段により連結さ
れるフレームとを備え、
少なくとも一対の対向する前記側壁は、前記フレームと平行な折れ線を有し、かつ、上
縁を前記フレームに、当該上縁に沿って箱の内側に向かって折り曲げ可能に連結し、下縁
を前記底部に、当該下縁に沿って箱の内側に向かって折り曲げ可能に連結し、
前記側壁が前記折れ線に沿って折り畳まれたとき、前記蓋と前記フレームと前記底部と
が近接して前記連結手段により連結され、折り畳まれた前記側壁により上下に仕切られた
収納空間が形成され、
前記側壁が前記底部に対して垂直に伸張されたとき、前記蓋と前記側壁と前記底部によ
り形成される箱状空間を取り囲み、前記側壁の内面に接する位置に配置され、前記側壁の
折れ線に対して垂直に交わる複数の折れ線を有し、これらの折れ線に沿って折り畳まれた
とき、前記収納空間に収納される形状を有するスリーブとを備えたことを特徴とする梱包
箱。
【請求項２】
請求項１に記載の梱包箱において、
前記一対の対向する側壁と直交する他の一対の対向する側壁は、
上縁を前記フレームに、当該上縁に沿って箱の内側に向かって折り曲げ可能に連結し、
下縁を自由端とし、
全ての側壁の上縁から下縁までの長さはほぼ等しく選定されていることを特徴とする梱
包箱。
【請求項３】
請求項１または２に記載の梱包箱において、
梱包対象物の輸送時に当該梱包対象物を前記箱状空間に所定の姿勢で支持する緩衝材を
備え、
前記緩衝材は、前記側壁が前記折れ線に沿って折り畳まれたとき、前記収納空間に収納
される形状を有することを特徴とする梱包箱。
【請求項４】
請求項３に記載の梱包箱において、
前記底部は、折り畳まれた側壁の直下に前記緩衝材を収納する収納空間を有することを
特徴とする梱包箱。
【請求項５】
請求項３または４に記載の梱包箱において、
複数の梱包対象物を前記箱状空間に所定の姿勢で支持する緩衝材を備え、いずれかの前
記梱包対象物が収納されないときに生じた空間への、前記梱包対象物の移動を阻止するス
ペーサを備え、
前記スペーサは、前記側壁が前記折れ線に沿って折り畳まれたとき、前記収納空間に折
り畳まれて収納される形状を有することを特徴とする梱包箱。
【請求項６】
請求項５に記載の梱包箱において、
前記底部は、折り畳まれた側壁とともに前記スペーサを収納する収納空間を有すること
を特徴とする梱包箱。
【請求項７】
請求項１乃至６のいずれかに記載の梱包箱において、
前記底部は、互いに隣接して直交する２側面に密着して両者を連結するＬ字金具を備え
たことを特徴とする梱包箱。
【発明の詳細な説明】
【技術分野】
【０００１】
本発明は、箱本体や緩衝材を回収して再利用することができる用途に使用される、梱包
箱に関する。
【背景技術】
【０００２】
電子機器等の各種製品の配送には、ダンボール箱が多用される。箱の組み立てを容易に
し、強度を高めて内容物を保護するために、各種の改良がなされている（特許文献１参照
）。
【特許文献１】特開２００６−８１８３号公報
【発明の開示】
【発明が解決しようとする課題】
【０００３】
ここで、従来の技術には、次のような解決すべき課題があった。
配送に使用される梱包箱や緩衝材は、廃棄物処理上の問題を起こす。そこで、再利用可
能な材料を使用した梱包箱が使用されるようになった。こうした梱包箱には、組み立てが
容易であることや強度が高いことに加えて、コンパクトにまとめて返送できる構造が要求
される。また、緩衝材等も併せて返送し、再利用できることが好ましい。本発明は以上の
課題を解決するためになされたもので、箱本体や緩衝材を回収して再利用することができ
る梱包箱を提供することを目的とする。
【課題を解決するための手段】
【０００４】
本発明の各実施例においては、それぞれ次のような構成により上記の課題を解決する。
〈構成１〉  蓋と、側壁と、上記蓋と対応する形状の底部と、上記蓋と上記側壁と上記
底部により形成される箱状空間の上部開口を形成し、当該開口部を塞ぐ上記蓋と連結手段
により連結されるフレームとを備え、少なくとも一対の対向する側壁は、上記フレームと
平行な折れ線を有し、かつ、上縁を上記フレームに、当該上縁に沿って箱の内側に向かっ
て折り曲げ可能に連結し、下縁を上記底部に、当該下縁に沿って箱の内側に向かって折り
曲げ可能に連結し、上記側壁が上記折れ線に沿って折り畳まれたとき、上記蓋と上記フレ
ームと上記底部とが近接して上記連結手段により連結され、折り畳まれた上記側壁により
上下に仕切られた収納空間が形成され、上記側壁が上記底部に対して垂直に伸張されたと
き、上記蓋と上記側壁と上記底部により形成される箱状空間を取り囲み、上記側壁の内面
に接する位置に配置され、上記側壁の折れ線に対して垂直に交わる複数の折れ線を有し、
これらの折れ線に沿って折り畳まれたとき、上記収納空間に収納される形状を有するスリ
ーブとを備えたことを特徴とする梱包箱。
【０００５】
蓋と側壁と底部により形成される箱状空間に、梱包対象物が収納される。側壁は折れ線
に沿って折り畳まれる。これにより、梱包対象物を収納しないとき、梱包箱の垂直方向の
サイズを縮小できる。従って、発送元へ送り返して再使用する梱包箱として好適する。側
壁を伸張したときは、スリーブが側壁のつぶれを阻止して、箱状空間を確保できる。
【０００６】
〈構成２〉  構成１に記載の梱包箱において、上記一対の対向する側壁と直交する他の
一対の対向する側壁は、上縁を上記フレームに、当該上縁に沿って箱の内側に向かって折
り曲げ可能に連結し、下縁を自由端とし、全ての側壁の上縁から下縁までの長さはほぼ等
しく選定されていることを特徴とする梱包箱。
【０００７】
中間に折れ線の無い一対の側壁は、底部に対して垂直に立ち上げられたとき、箱の形状
を維持する。スリーブはさらにそれを補強する。これにより、丈夫な梱包箱になる。
【０００８】
〈構成３〉  構成１または２に記載の梱包箱において、梱包対象物の輸送時に当該梱包
対象物を上記箱状空間に所定の姿勢で支持する緩衝材を備え、当該緩衝材は、上記側壁が
上記折れ線に沿って折り畳まれたとき、上記収納空間に収納される形状を有することを特
徴とする梱包箱。
【０００９】
収納空間に収納される形状の緩衝材を備えることにより、緩衝材を含めて、縮小した梱
包箱のまま送り返すことができる。
【００１０】
〈構成４〉  構成３に記載の梱包箱において、上記底部は折り畳まれた側壁の直下に上
記緩衝材を収納する収納空間を有することを特徴とする梱包箱。
【００１１】
底部の深さを選定することにより、側壁が折り畳まれた状態でも緩衝材を収納するだけ
の収納空間を確保することができる。
【００１２】
〈構成５〉  構成３または４に記載の梱包箱において、複数の梱包対象物を上記箱状空
間に所定の姿勢で支持する緩衝材を備え、いずれかの上記梱包対象物が収納されないとき
に生じた空間への、上記梱包対象物の移動を阻止するスペーサを備え、当該スペーサは、
上記側壁が上記折れ線に沿って折り畳まれたとき、上記収納空間に折り畳まれて収納され
る形状を有することを特徴とする梱包箱。
【００１３】
例えば、２台のプリンタを同時に梱包する構成とし、１台だけしか梱包されないときは
、１台分の空き空間に、スペーサを配置して、梱包対象物の移動を阻止する。このスペー
サも、折り畳まれて収納空間に収納でき、繰り返し使用できる。
【００１４】
〈構成６〉  構成５に記載の梱包箱において、上記底部は折り畳まれた側壁とともに上
記スペーサを収納する収納空間を有することを特徴とする梱包箱。
【００１５】
側壁が折り畳まれた状態で、底部に緩衝材やスペーサとを収納することができる。スペ
ーサの収納場所は任意である。
【００１６】
〈構成７〉  構成１乃至６のいずれかに記載の梱包箱において、底部は、互いに隣接し
て直交する２側面に密着して両者を連結するＬ字金具を備えたことを特徴とする梱包箱。
【００１７】
底部は所定の収納空間を形成するために皿状に形成される。再利用に耐えるように強度
が必要なため、Ｌ字金具を使用する。金具が底まで張り出さないので、箱を重ね合わせた
ときに滑りを妨げない。
【発明を実施するための最良の形態】
【００１８】
本発明では、梱包箱の側壁を折りたたみ可能にして、返送時の形状をコンパクトにする
。さらに、所定のスリーブを使用して箱の強度を上げる。また、必要に応じて、緩衝材も
折り畳んだ梱包箱に収納して返送する。以下、本発明の実施の形態を実施例ごとに詳細に
説明する。
【実施例１】
【００１９】
図１は、実施例１の梱包箱を分解して示す斜視図である。
この梱包箱は、蓋１０と、フレーム１１と、４枚の側壁１２、１３、１４、１５と、底
部１８と、スリーブ４０とを備える。フレーム１１は、蓋１０と側壁１２〜１５と、底部
１８により形成される箱状空間の上部開口を形成する。蓋１０側の連結手段２１、２２と
フレーム１１側の連結手段２３は、例えば、面ファスナからなり、相互に連結されて、開
口部を塞ぐ。蓋１０と４枚の側壁１２、１３、１４、１５とは、例えば、プラスチックダ
ンボールなどから構成される。また、フレーム１１は、アルミニウムなどの金属や硬質プ
ラスチックから構成される。底部１８は硬質プラスチック等から構成される。
【００２０】
対向する一対の側壁１２、１３は、いずれも取っ手２４、２５を備える。そして、その
上縁３２、３３をフレーム１１に連結している。下縁は自由端である。側壁１２、１３は
、フレーム１１に連結した上縁３２、３３に沿って箱の内側に向かって折り曲げ可能にさ
れている。一方、側壁１２、１３と直交する一対の側壁１４、１５は、フレーム１１と平
行な折れ線１６、１７を有する。そして、各上縁３４、３６をフレーム１１に連結してい
る。また、下縁３５、３７を底部１８に連結している。
【００２１】
側壁１４、１５の上半分の部分は、フレーム１１に連結された上縁３４、３６に沿って
、箱の内側に向かって折り曲げ可能にされている。また、側壁１４、１５の下半分の部分
は、底部１８に連結された下縁３５、３７に沿って箱の内側に向かって折り曲げ可能にさ
れている。従って、側壁１４、１５は、折れ線１６、１７を境にして２つ折りにされる。
後で説明するように、側壁１２〜１５が折り畳まれたとき、蓋１０とフレーム１１と底部
１８とが近接する。底部１８には、面ファスナ等の連結手段２６が設けられている。この
連結手段２６と蓋１０の連結手段２１、２２が連結されて、返送可能な状態になる。
【００２２】
折り畳まれた後は、蓋１０とフレーム１１と底部１８によって、スリーブ４０や梱包用
の緩衝材等を収納する収納空間が形成される。収納空間は、側壁１２〜１５により上下に
仕切られる。上側の収納空間には、スリーブ４０が折り畳まれて収納され、下側の収納空
間には、緩衝材が収納される。即ち、底部は折り畳まれた側壁の直下に前記緩衝材を収納
する収納空間を形成する。スリーブ４０は、全ての側壁１２〜１５が底部１８に対して垂
直になるように伸長されたとき、蓋１０と側壁１２〜１５と底部１８により形成される箱
状空間を、側方から取り囲む。
【００２３】
スリーブ４０は、全ての側壁の内面に接する位置に配置される。また、このスリーブ４
０は、側壁１４、１５の折れ線１６、１７に対し、垂直に交わる複数の折れ線４１、４２
を有する。スリーブ４０が折れ線４１、４２に沿って折り畳まれたとき、このスリーブ４
０は平坦な形状になり、既に説明した収納空間に収納される。なお、スリーブ４０の外側
から見たとき、折れ線４１は山折れ線で、折れ線４２は谷折れ線である。
【００２４】
図２は、実施例１の梱包箱の組み立てた状態を示す斜視図である。
図に示すように、蓋１０とフレーム１１と側壁１２〜１５と底部１８とによって、箱状
空間４５が形成される。ここに、任意の梱包対象物が収容される。梱包対象物の輸送中に
加わる衝撃を緩和するために、各種の緩衝材が使用される。この発明では、緩衝材を梱包
箱と共に再利用可能にする。そのため、後で説明する要領で、緩衝材を底部１８に収容す
る。底部の補強のために、Ｌ字型の金具２７を使用する。
【００２５】
Ｌ字型の金具２７は、底部１８の、互いに隣接して直交する２側面に密着して両者を連
結する。この種の形状の箱状の底部１８を補強するときには、一般には、側面と底面の３
面を連結するように金具を取り付ける。しかしながら、この梱包箱はいくつも上下に積み
重ねて使用される。このとき、上下の梱包箱の蓋１０や底部１８が接する。金具が底部に
張り出していると、相手方の箱を傷付ける。そこで、２側面にのみ密着するＬ字型の金具
２７を採用した。
【００２６】
図３は、スリーブ４０を箱状空間４５に収納する直前の状態を示す斜視図である。
図２に示した梱包箱は、梱包対象物を運搬し終えた後に、発送元へ返送される。このと
き、その体積を縮小できるように、側壁１２〜１５が折り畳めるようになっている。側壁
１２、１３は内側に折り畳めるように構成し、側壁１４、１５は中央でフレーム１１に平
行な折れ線１６、１７に沿って折り畳まれる。この構造では、梱包箱を組み立てたときに
上からの圧力に弱いという問題がある。そこで、図３に示すようなスリーブ４０を使用し
、箱全体を上からの圧力にも強くなうようにした。スリーブ４０を箱状空間４５（図２）
に落とし込めば、スリーブ４０の上縁がフレーム１１とほぼ同じ高さか、それ以下の高さ
になる。これによって梱包対象物輸送時の箱の潰れを防止する。一方、箱を発送元に送り
返す場合にはスリーブ４０は邪魔になる。そこで、スリーブ４０を折り畳み可能にした。
【００２７】
図４は、梱包箱の折り畳み方法の説明図である。
図の左側に、折り畳み時の斜視図あるいは側面図を破線で示した。図に示すように、フ
レーム１１にそれぞれ上縁３２、３３を固定した側壁１２、１３は、上縁３２、３３に沿
って箱の内側に向かって折り畳まれ、底部１８と平行にされる。また、フレーム１１に上
縁３４、３６を固定し、底部１８に下縁３５、３７を固定した側壁１５と１４は、折れ線
１６、１７に沿って２つに折り曲げられ、底部１８とほぼ平行にされる。また、図の上方
に示したスリーブ４０も、折れ線４１、４２に沿って折り曲げられ、平坦な形状にされる
。
【００２８】
このスリーブ４０は、底部１８の収納空間５１のどこに収納されてもよい。しかし、後
で説明するように、この収納空間５１には、緩衝材が収納される。そこで、この例では、
スリーブ４０を、側壁１２、１３の上方に形成された収納空間に収納する。なお、上記の
梱包箱は、開口断面がほぼ正方形の直方体としたが、その全体形状は任意である。スリー
ブ４０の形状も、梱包箱の形状に合わせたものにすればよい。使用される緩衝材の形状も
任意である。その数も任意である。
【００２９】
スリーブや緩衝材は、可能な限り上記の収納空間５１に収納されるサイズであることが
好ましい。また、緩衝材のサイズに応じて、底部１８の深さを選定し収納空間５１を有効
に活用するとよい。蓋１０とフレーム１１や底部１８を連結する連結手段は、面ファスナ
の他に、紐や粘着テープあるいはマグネットなどを採用してよい。連結手段の構成は任意
であり、バンド状のものでもチェーン状のものでも構わない
【実施例２】
【００３０】
図５は、実施例２の梱包箱の折り畳んだ状態を示す斜視図である。
図に示すように、この梱包箱は側壁１２、１３が折り畳まれている。この図では、収納
空間の上半分のみが見えるように蓋１０が開放されている。この収納空間には、既に実施
例１で説明した通り、スリーブ４０を収納する。この実施例では、さらに、スリーブ４０
とともに、スペーサ５５も収納する。一方、側壁１２〜１５の下側の収納空間には、例え
ば、図に示すようなシート状の緩衝材５６とブロック状の緩衝材５７、５８を収容する。
【００３１】
スペーサ５５は後で説明するように、切り欠き６１の部分を折り曲げて梱包箱の箱状空
間に形成されたスペースを埋める機能を持つ。シート状の緩衝材５６は、多数の網目状の
スリットを有し、スリットを押し広げることにより、矢印Ａ方向に展開可能な構造を持つ
。即ち、この緩衝材５６を持ち、矢印Ａ方向に引っ張ることによってシートが伸び、多数
の網目を持つクッション材になる。広げた状態で梱包対象物を包んで輸送し、その後、元
に戻せば縮小できるから、縮小した状態で底部１８の収納空間におさめる。こうした機能
を持つ緩衝材を使えば、狭い収納空間に実質的に大きな緩衝材を収納できる。
【００３２】
ブロック状の緩衝材５７、５８は、梱包対象物の輸送時に梱包対象物を梱包箱の箱状空
間に所定の姿勢で支持する機能を持つ。これらを図に示すように適切な形状に設計するこ
とで底部１８の狭い収納空間に収納できる。また、ブロック状の緩衝材５７、５８をシー
ト状の緩衝材５６と同様に展開できるものにすると、コンパクトに底部１８の狭い収納空
間に収納できる。以上のようにして、緩衝材は、折り畳まれた側壁１２〜１５の下側の収
納空間に収納される。
【００３３】
図６は、スペーサの利用方法の説明図である。
図に示すように、例えばノート型コンピュータ７０の梱包に、図に示すようなブロック
状の緩衝材５７、５８を使用する。これらの上にスペーサ５５を乗せる。このスペーサ５
５は、切り欠き６１の部分を折り曲げて垂直に腕６２を立てて使用する。これによって、
梱包箱内部での梱包対象物の移動を阻止する。このスペーサ５５も、プラスチックダンボ
ールなどから構成するとよい。
【００３４】
図７は、比較のための梱包箱の内部状態を示す側面図である。
図７（ａ）に示すように、梱包箱は、例えば緩衝材６３、６４によって２台のノート型
コンピュータ７１、７２を支持して収容できるサイズのものである。ところが、１台のノ
ート型コンピュータ７２のみを運搬すればよいことがある。このときは、例えば、図７（
ｂ）に示すように、２個のブロック状の緩衝材５７、５８を使用して、１台のノート型コ
ンピュータ７２を支持する。この場合に、梱包箱の上部に梱包対象物が収納されない空間
が生じる。ここにスペーサ５５を配置する。スペーサ５５の腕６２を垂直に立てる。
【００３５】
図７（ｂ）に示した状態で、内容物の移動が阻止される。しかも腕６２を折り畳めば、
図５に示したように、非常に薄い１枚の板になる。従って、底部１８の狭い収納空間に、
スリーブ４０（図５）と共に収納することが可能になる。以上のようにして、輸送時に使
用した緩衝材やスペーサを、折り畳んだ梱包箱の、蓋１０とフレーム１１と底部１８によ
り形成された収納空間に収納して、返送できる。従って、容易に組み立てや折りたたみが
でき、十分な強度のある梱包箱が実現する。また、折り畳んだそのまま梱包箱に緩衝材等
を収納して返送することができ、緩衝材等の再利用が可能になる。
【図面の簡単な説明】
【００３６】
【図１】実施例１の梱包箱を分解して示す斜視図。
【図２】実施例１の梱包箱の組み立てた状態を示す斜視図。
【図３】スリーブを箱状空間に収納する直前の状態を示す斜視図。
【図４】梱包箱の折り畳み方法の説明図。
【図５】実施例２の梱包箱の折り畳んだ状態を示す斜視図。
【図６】スペーサの利用方法の説明図。
【図７】比較のための梱包箱の内部状態を示す側面図。
【符号の説明】
【００３７】
１０  蓋、１１  フレーム、１２、１３、１４、１５  側壁、１６、１７  折れ線、１８
底部、２１、２２、２３、２６  連結手段、２４、２５  取っ手、３２、３３  上縁、
３４、３６  上縁、３５、３７  下縁、４０  スリーブ、４１、４２  折れ線。
【図１】
2007204116.tif 000003
【図２】
2007204116.tif 000004
【図３】
2007204116.tif 000005
【図４】
2007204116.tif 000006
【図５】
2007204116.tif 000007
【図６】
2007204116.tif 000008
【図７】
2007204116.tif 000009